(57)【特許請求の範囲】
【請求項１】
ワイヤレスネットワーク内の移動局上で作動するようにアプリケーションを認証する方法であって、
ａ．前記移動局以外の前記ワイヤレスネットワーク内のエンテイテイから、前記移動局の位置を要求することによって前記移動局上でアプリケーションを作動させようと試みることと、
ｂ．前記アプリケーション作動要求の認証を要求することと、
ｃ．モバイルポジショニングセンタ（ＭＰＣ）に前記アプリケーション作動要求の認証要求を実現させるために、前記エンテイテイから前記ＭＰＣと直接通信することと、
ｄ．前記アプリケーション作動要求が認証される場合、特定の所定値のテレサービス識別子フィールド含むショートメッセージサービス（ＳＭＳ）メッセージを送信する前記ＭＰＣによって前記アプリケーションをトリガすること、及び前記アプリケーション作動要求が認証されたこと及び前記アプリケーションが前記ＭＰＣによってトリガされたことに応答して、前記アプリケーションを作動させるのに必要な情報を前記移動局内でルーテイングすること、
ｅ．前記アプリケーション作動要求が認証されない場合、前記アプリケーション作動要求が認証されないことに応答して前記アプリケーションを作動させるのに必要な少なくとも一部の情報を受信できないこと、を具備する方法。
【請求項２】
前記移動局上で作動させようと試みられる前記アプリケーションは、要求された情報を全て受信するために前記ＭＰＣからの認証を要求する、請求項１に記載の方法。
【請求項３】
前記ＭＰＣによる前記アプリケーション作動要求の前記認証は、前記移動局が他のコンポーネントと通信することを可能にする、請求項２に記載の方法。
【請求項４】
前記他のコンポーネントは、位置決定エンティティを含む、請求項３に記載の方法。
【発明の詳細な説明】
【技術分野】
【０００１】
本発明は一般に通信に関し、より具体的には、ロケーションベースアプリケーションを通信システムの移動局内で作動させるべくトリガすることで位置決定を実行するシステム、方法、及び装置に関する。
【背景技術】
【０００２】
無線ユーザのロケーションを知るのが望ましいことはしばしばある。実際、それは時々必要となる。例えば、連邦通信委員会（ＦＣＣ：Ｆｅｄｅｒａｌ  Ｃｏｍｍｕｎｉｃａｔｉｏｎｓ  Ｃｏｍｉｓｓｉｏｎ）は、移動局（例えば、携帯電話）のロケーションが公安応答局（ＰＳＡＰ：Ｐｕｂｌｉｃ  Ｓａｆｅｔｙ  Ａｎｓｗｅｒｉｎｇ  Ｐｏｉｎｔ）に提供されることを、当該移動局から９１１番に電話がかけられる度に要求する、エンハンスト９１１（Ｅ−９−１−１）ワイヤレスサービスの報告及び指令を採用している。ＦＣＣの指令に加えて、ネットワークオペレータ／サービスプロバイダは、ロケーションベースサービスを使用する多様なアプリケーションをサポートし得る。そのようなサービスは、移動局のロケーションを提供する。「アプリケーション」とは、ロケーション情報から作られる特定の用途をいう。しばしば、アプリケーションは、移動局内のプロセッサか、当該移動局と通信中のワイヤレスインフラストラクチャネットワーク内に置かれたプロセッサによって実行されるコンピュータソフトウェアと共に導入される。この情報を使用するアプリケーションは、例えば、ロケーションセンシティブな広告、資産トラッキング、資産モニタリング及び回復、車両及びリソースマネジメント、パーソナルロケーションサービス等を含み得る。パーソナルロケーションサービス用アプリケーションの具体例の一部には、（１）移動局にそのロケーションに基づいてローカルマップを提供すること、（２）移動局のロケーションに基づいて設備（例えば、ホテル又はレストラン）の推薦を提供すること、及び（３）移動局の現在のロケーションから、推薦された設備への案内（ｄｉｒｅｃｔｉｏｎｓ）を提供すること、が含まれる。
【０００３】
現在、少なくともいくつかの状況において、ロケーションベースサービス（すなわち、そのロケーションを知りたいと望む移動局、又は移動局のロケーションを望むエンティティ（ｅｎｔｉｔｙ））の使用には、サービスプロバイダへの支払いが要求される。プライバシーへの配慮を確実にするだけでなく、そのような支払いの集金ができることを確実にするために、またその他の理由から、アプリケーションを「認証する」ことが重要である。アプリケーションの認証とは、「充分な」アイデンティティ及び請求情報があることを確認する行為を言う。そのようなアイデンティティ及び請求情報には、１）請求先住所、２）要求されたロケーション情報にアクセスするための、サービスプロバイダからの認証、３）請求対象者と請求者（すなわち、サービスプロバイダ）間での、要求されたロケーション情報が提供される契約条件に関する合意、といったものが含まれる。アイデンティティ及び請求情報が「充分」であるとみなされるのは、それにより、１）サービスプロバイダがロケーションベースサービス（例えば、ポジションロケーション情報の提供）を使用している当事者に対して請求及び料金の集金をすることが可能となり、かつ、２）ロケーション情報を利用可能となるであろう如何なる者のプライバシーも保護される場合である。
【０００４】
一般に、移動局によってアクセスされるアプリケーションは、ネットワーク内のコンポーネント（ｃｏｍｐｏｎｅｎｔ）内で実行されるものである。そのような場合、アプリケーションは通常、外部の情報要求に応答するために、又は、移動局の位置が決定されるようにすることを目的として移動局内でアプリケーションを実行することを開始するために、移動局をトリガ（ｔｒｉｇｇｅｒ）することが必要であろう。しかし、プライバシーと、請求が無視されないことを確実にすること、という上述した懸念の双方に鑑み、トリガすることを認証されていない外部装置によって移動局がトリガされないことを確実にするような、何らかのセキュリティが適切に導入される必要がある。ここに開示された方法及び装置は、そのような保証のために提供される。
【発明の開示】
【０００５】
[概要]
本願は、２００３年１月３１日出願の米国仮出願第６０／４４４，２４８号、及び、２００３年２月５日出願の米国仮出願第６０／４４５，８１５号の利益を主張するものであり、その全体が、あらゆる目的のために、参照することで組み込まれる。
【０００６】
ここに開示されている方法及び装置は、移動局内で実行されるアプリケーションが、モバイルポジショニングセンタ（ＭＰＣ：ｍｏｂｉｌｅ  ｐｏｓｉｔｉｏｎｉｎｇ  ｃｅｎｔｅｒ）によってのみトリガされることを可能とする。移動局は、通信インフラストラクチャのコンポーネントと通信するが、これは開示された方法及び装置の一実施形態によれば、セルラ通信ネットワークインフラストラクチャ内のコンポーネントである。典型的なセルラ通信ネットワークインフラストラクチャは基地局を含むが、これを介して信号が無線移動局とネットワークとの間で無線で送信される。ＭＰＣは、当技術分野において周知である種々の可能な構成のうち任意の一つを使用して、基地局と結合される。ここに開示されている方法及び装置によれば、ＭＰＣは、移動局内に常駐する、又は、ネットワークのどこかに常駐している装置で実行される、アプリケーションを認証する責任を負う。移動局は、基地局及び他のインフラストラクチャコンポーネントを介して通信リンク上でＭＰＣと通信する。開示された方法及び装置によれば、米国電気通信工業会（ＴＩＡ）／米国電子工業会（ＥＩＡ）によって発行されている暫定仕様（Ｉｎｔｅｒｉｍ  Ｓｐｅｃｉｆｉｃａｔｉｏｎ）６３７Ａ（ＩＳ−６３７Ａ）で定義されるようなショートメッセージサービス（ＳＭＳ）メッセージを移動局が受信する場合のみ、移動局は特定の動作（例えば、特定のアプリケーションの実行）をトリガしようとする試みに応答するであろう。より具体的には、そのＳＭＳメッセージは、特定の事前に割り当てられた値を有するＳＭＳテレサービス識別子（ＳＭＳ  Ｔｅｌｅｓｅｒｖｉｃｅ  Ｉｄｅｎｔｉｆｉｅｒ）を含まなければならない。
【０００７】
本発明の様々な面及び実施形態は、以下により詳細に説明されている。
【０００８】
[詳細な説明]
開示されている方法及び装置は、同様の参照符号は同様の構成要素を特定する以下の図面と併せて、以下の詳細な説明から一層明確になるであろう。
【０００９】
図１は、開示された方法及び装置による、移動局１０１、ワイヤレス通信ネットワーク１０３、モバイルポジショニングセンタ（ＭＰＣ）１０５、及び位置決定装置（ＰＤＥ）１０７を含むシステム１００を説明する簡易化したブロック図である。移動局１０１は、移動局１０１内で、又は、１０１の外部で実行され得るＬＢＳアプリケーションと共にロケーションベースサービス（ＬＢＳｓ：ｌｏｃａｔｉｏｎ  ｂａｓｅｄ  ｓｅｒｖｉｃｅｓ）をサポートできる任意の無線装置であってよい。本明細書の目的のため、ＬＢＳアプリケーションは、任意のプログラム、アプレット、ルーチン、又は、他のそのようなコンピュータ導入アルゴリズム（ｃｏｍｐｕｔｅｒ  ｉｍｐｌｅｍｅｎｔｅｄ  ａｌｇｏｒｉｔｈｍ）であって、当該アプリケーションが作動している移動局のロケーション、あるいは別の移動局のロケーションを使用して情報又はサービスをユーザに提供するものを含む。そのようなＬＢＳアプリケーションは、１）ＬＢＳクライアント（すなわち、ＬＢＳサービスを要求している人物）が、適切に装備された移動局を使用している別の人物の位置を突き止める（ｌｏｃａｔｅ）ことを可能とするために、別の人物によって操作されている移動局のロケーションを識別すること、２）近くの製品又はサービスステーションの位置を突き止め、ユーザに、ＡＴＭやレストラン等の当該ステーションへの案内を提供すること、３）適切に装備された移動局を追跡すること等ができるプログラムを含む。無線装置の例には、携帯電話、ワイヤレスモデム、個人情報マネージャ（ＰＩＭｓ：ｐｅｒｓｏｎａｌ  ｉｎｆｏｒｍａｔｉｏｎ  ｍａｎａｇｅｒｓ）、携帯情報端末（ＰＤＡｓ：ｐｅｒｓｏｎａｌ  ｄｉｇｉｔａｌ  ａｓｓｉｓｔａｎｔｓ）等が含まれる。
【００１０】
図１に示されるように、移動局１０１は、ワイヤレスネットワーク１０３と無線リンク１０２上で通信する。ワイヤレスネットワーク１０３は、無線リンク１０２上で移動局１０１から情報を受信、及び移動局１０１へ情報を送信することが可能な基地局１０４を少なくとも含む。本開示の目的のため、基地局１０４は、基地局コントローラ（ＢＳＣｓ：ｂａｓｅ  ｓｔａｔｉｏｎ  ｃｏｎｔｒｏｌｌｅｒｓ）、移動通信交換局（ＭＳＣｓ：ｍｏｂｉｌｅ  ｓｗｉｔｃｈｉｎｇ  ｃｅｎｔｅｒｓ）等、簡便化のために図示されていないワイヤレスネットワーク１０３の様々な他のコンポーネントを含む。
【００１１】
基地局１０４は、ケーブル、マイクロ波中継装置（ｍｉｃｒｏｗａｖｅ  ｌｉｎｋｓ）、衛星通信リンク等を含む任意の従来の通信媒体によって、ＭＰＣ１０５に結合されるが、これらに限定されるものではない。同様に、ＭＰＣ１０５は、任意の従来の通信媒体によって、ＰＤＥ１０７に結合される。
【００１２】
図２は、開示された方法及び装置による、移動局１０１の構成要素の簡易化したブロック図である。図２に示される移動局１０１は、送信機２０１、プロセッサ２０３、アプリケーションメモリ２０５、及び汎用メモリ２０７を含む。プロセッサ２０３は、一つのブロックとして示されている。しかし、プロセッサ２０３により実行されるものとして開示される機能は、提携して作動する、又は独立して動作する、別個のプロセッサの集まり（ｃｏｌｌｅｃｔｉｏｎ）によって実行されてもよいことが、当業者には理解されるべきである。従って、そのようなプロセッサの集まりは、開示された機能を実行するために連結されてもよいし、又は、それらは互いに完全に独立して動作してもよい。さらに、開示された方法及び装置の別の実施形態によれば、アプリケーションメモリ２０５及び汎用メモリ２０７を結合して、これら二つのメモリ２０５、２０７に格納されるものとして本明細書に開示される情報を格納する、単独のメモリ装置としてもよい。また別の実施形態において、移動局１０１は、移動局１０１内で情報を格納する責任を共有する複数の付加的な独立したメモリ装置を具備し得る。
【００１３】
ここに開示された方法及び装置の一実施形態によれば、プロセッサ２０３は、プロトコルスタック（ｐｒｏｔｏｃｏｌ  ｓｔａｃｋ）として提携して動作する複数の機能を有する。しかし、この特定の構成は、開示された方法及び装置に必須のものではないことが理解されるべきである。
【００１４】
図３は、開示された方法及び装置の一実施形態の中で使用されるプロトコルスタック３００の例の概略図である。本開示の目的のため、プロトコルスタックは、一般に一つのルーチンが、別の下位レベルのルーチン又はプログラムの上に構築され、当該別の下位レベルのルーチン又はプログラムの機能を使用し、共に動作するプログラム指令又はルーチンの任意の組である。図３のプロトコルスタック３００内の第１の機能は、オペレーティングシステム３０１である。オペレーティングシステム３０１は基礎的な機能であって、その上に他の機能が構築される。つまり、オペレーティングシステム３０１は、プロセッサ２０３内で実行される他の機能によってアクセス及び使用されることが可能な機能を含む。ここに開示された方法及び装置の一実施形態によれば、オペレーティングシステム３０１は、ワイヤレス用バイナリランタイム環境（ＢＲＥＷ：Ｂｉｎａｒｙ  Ｒｕｎ−ｔｉｍｅ  Ｅｎｖｉｒｏｎｍｅｎｔ  ｆｏｒ  Ｗｉｒｅｌｅｓｓ）オペレーティングシステムである。あるいは、オペレーティングシステム３０１は、ワイヤレスアプリケーションプロトコル（ＷＡＰ）である。また別の実施形態において、オペレーティングシステムはショートメッセージサービス（ＳＭＳ）オペレーティングシステムである。また別の実施形態では、オペレーティングシステムはＪａｖａ（登録商標）オペレーティングシステム等である。Ｊａｖａ（登録商標）は、サンマイクロシステムズ社のオペレーティングシステムの登録商標である。当業者であれば、使用される特定のオペレーティングシステムは、ＬＢＳアプリケーション３０３が移動局１０１内で作動することを認証する、ここに開示された方法及び装置に直接関連しないことを認識するであろう。
【００１５】
一実施形態によれば、アプリケーションクライアント機能３０３は、オペレーティングシステム３０１の上で作動する。ある例において、アプリケーションクライアント機能３０３は、キーボードやタッチスクリーンといった従来のデータ入力装置を介して移動局のユーザから情報を受信するために、ユーザインタフェース機能にアクセス、及び、ユーザインタフェース機能を利用し得るＬＢＳアプリケーションである。そのようなＬＢＳアプリケーションはまた、液晶ダイオード（ＬＣＤ：ｌｉｑｕｉｄ  ｃｒｙｓｔａｌ  ｄｉｏｄｅ）ディスプレイ画面を介して、移動局のユーザに情報を提供するために、オペレーティングシステム機能にアクセス、及びオペレーティングシステム機能を利用してもよい。別の例では、アプリケーションクライアント機能３０３は、オペレーティングシステム３０１とプロトコルスタック３００のより上位の層との間のインタフェースを取ってポジションロケーション決定動作を開始するルーチンである。
【００１６】
アプリケーションクライアント機能の一つの機能は、移動局１０１の位置を突き止めるのを支援することである。また、アプリケーションクライアント機能がＬＢＳアプリケーションの場合、当該アプリケーションは、移動局の近傍にどのような関心地点（ｐｏｉｎｔｓ  ｏｆ  ｉｎｔｅｒｅｓｔ）やサービスポイントがあるかを判断し（例えば、店舗、ＡＴＭ、レストラン、美術館等）、移動局のロケーション及び特定のサービスステーションや関心地点のロケーションの知識に基づいて、ナビゲーション案内や地図をユーザに提供し得る。
【００１７】
アプリケーションクライアント機能３０３は、ポジションロケーションエンジン３０５にアクセスすることで移動局１０１の位置を突き止めることを支援する。ポジションロケーションエンジン３０５は、移動局１０１それ自身のロケーションを決定することができる、又は、別の装置が移動局１０１のロケーションを決定するのを補助するのに有用な、ＧＰＳ衛星の擬似範囲（ｐｓｅｕｄｏ−ｒａｎｇｅｓ  ｔｏ  ＧＰＳ  ｓａｔｅｌｌｉｔｅｓ）といった情報を提供することができる任意の機能であってよい。開示された方法及び装置の一実施形態において、ポジションロケーションエンジン３０５は、全地球測位（ＧＰＳ：ｇｌｏｂａｌ  ｐｏｓｉｔｉｏｎｉｎｇ  ｓａｔｅｌｌｉｔｅ）システムのコンポーネントである。この例のポジションロケーションエンジン３０５は、移動局が（ＧＰＳ受信機ハードウェア２０２と共に）移動局１０１のロケーションを決定する目的でＧＰＳ衛星から情報を受信することを可能にするＧＰＳ受信機機能を含む。
【００１８】
また、開示された方法及び装置の一実施形態では、ポジションロケーションエンジン３０５は補助情報（ａｉｄｉｎｇ  ｉｎｆｏｒｍａｔｉｏｎ）を要求し、ＰＤＥ１０７から補助情報を受信する。例えば、一実施形態において、移動局１０１は、どの衛星が「視野内（ｉｎ  ｖｉｅｗ）」なのかに関する情報を要求する。ある衛星が視野内の場合、移動局１０１は当該衛星から情報を受信及び復調することができるべきである。
【００１９】
また、移動局１０１は、視野内の衛星のロケーションに関する情報、視野内の衛星から受信した情報を使用して移動局１０１のロケーションを計算するときに使用すべき修正率（ｃｏｒｒｅｃｔｉｏｎ  ｆａｃｔｏｒｓ）についての情報、視野内の衛星から信号を受信するときに移動局１０１が直面し得るドップラーシフトの量に関する情報、及び他のそのような有用な情報を要求するかもしれない。この情報により、移動局１０１が衛星をより急速に検知及び「捕捉（ａｃｑｕｉｒｅ）」することが可能になる。衛星の捕捉とは、移動局１０１が衛星から送信された信号を受信し、移動局１０１が衛星から送信された信号上に変調された情報を解釈する準備として、受信した情報を移動局１０１内のローカルなタイミングに合わせる（ａｌｉｇｎｓ）処理を言う。ＰＤＥ１０７から補助情報を受信する処理に関する更なる論考を以下に与える。
【００２０】
図３はまた、ＳＭＳメッセージングプロトコル層３０７を示す。ＳＭＳメッセージングプロトコル層３０７は、双方ともにＴＩＡ／ＥＩＡによって刊行されているＩＳ−６３７Ａ及びＩＳ−４１に概要が述べられている、周知のＳＭＳ通信プロトコルに従ってメッセージを送信及び受信するためのサポートを提供する。従って、移動局１０１によって受信又は送信されるべき情報は、ＳＭＳメッセージングプロトコル層３０７に提供される。ＳＭＳメッセージングプロトコル層３０７は次に、情報が送信されるべき他の装置が、移動局１０１によって送信された情報を受信及び解釈できるように、ＳＭＳプロトコル仕様に従って情報を適切にフォーマットする。
【００２１】
また、ＳＭＳメッセージングプロトコル層は、受信したメッセージ中のデータに基づいて、適切なより下位レベルのプロトコル層にメッセージをルーティングする。特に、ＳＭＳメッセージは、一般にＳＭＳテレサービス識別子（ＳＭＳ  ｔｅｌｅｓｅｒｖｉｃｅ  ｉｄｅｎｔｉｆｉｅｒ）として知られるフィールドを有している。ＳＭＳテレサービス識別子フィールド内のバリューキャリア（ｖａｌｕｅ  ｃａｒｒｉｅｒ）に応じて、ＳＭＳメッセージは解釈のために異なるコンポーネントへルーティングされるであろう。ここに開示された方法及び装置によれば、ＳＭＳテレサービス識別子フィールド中の特定の値は、ポジションロケーションエンジン３０５により解釈されることを意図されたメッセージに関連付けられる。他のメッセージは全て、解釈及び作用される（作用されない）べく別のプロトコル層に送信される。ＳＭＳテレサービス識別子フィールドの顕著な特徴は、ＳＭＳメッセージ内のペイロードフィールドとは対照的に、通信システム内の選択されたコンポーネントによってのみＳＭＳテレサービス識別子フィールドを変更できる（すなわち、情報を当該フィールドに入れることができる）ということである。これらのコンポーネントで最も重要なものはＭＰＣ１０５である。従って、ネットワークコンポーネントのみがＳＭＳテレサービス識別子フィールドの値を変更可能であって、ＳＭＳテレサービス識別子フィールドの値が特定の所定の値である場合に移動局１０１はメッセージをポジションロケーションエンジン３０５にルーティングするのみであるなら、移動局１０１内のポジションロケーションエンジン３０５へのアクセスを許可する安全な（ｓｅｃｕｒｅ）システムを確立することができる。
【００２２】
図４は、開示された方法及び装置を実施するシステム１００の多様なコンポーネント間で渡されるメッセージのシーケンスを示す概略図である。図４の上部に渡って示されるブロックは、これらのコンポーネントの各々を表す。これらのコンポーネントは、ＳＭＳメッセージングプロトコル層３０７、アプリケーションクライアント機能３０３、ポジションロケーションエンジン３０５、ＰＤＥ１０７、ＭＰＣ１０５、モバイルセンタ（ＭＣ）４０２、及びＬＢＳクライアント４０３を含む。各コンポーネント３０７、３０３、３０５、４０２、１０７、１０５、４０３から垂直に下りているライン４０１ａ、４０１ｂ、４０１ｃ，４０１ｄ，４０１ｅ，４０１ｆ，４０１ｇは、時間の経過を表す。コンポーネント３０７、３０３、３０５、４０２、１０７、１０５、４０３に最も近いラインのポイントは、最新の時点を表す。
【００２３】
最初に、ＬＢＳクライアント４０３（例えば、別の移動局）は、矢４０５で示されるように、ＭＰＣ１０５から移動局１０１の位置を要求する。ＭＰＣ１０５は、要求が認証されているかどうかを判断する責任を負う。要求が認証されていると判断すると、ＭＰＣ１０５は、モバイル終端の（ＭＴ：ｍｏｂｉｌｅ  ｔｅｒｍｉｎａｔｅｄ）ＳＭＳメッセージ４０９を移動局１０１に提供するのに加えて、「ＧＰＯＳＲＥＱ」メッセージ４０７をＰＤＥ１０７に提供する。ＰＤＥ１０７に対するＧＰＯＳＲＥＱメッセージ４０７は、移動局１０１のロケーションを決定するに際してＰＤＥ１０７がポジションロケーションエンジン３０５と共に動作するのを支援する情報をＰＤＥ１０７に供給する（ｓｅｅｄ）。特に、ＧＰＯＳＲＥＱメッセージ４０７は、移動局１０１が通信中の基地局１０４のロケーションに関する情報をＰＤＥ１０７に提供する。この情報により、ＰＤＥ１０７は、移動局１０１のロケーションを数マイルかそれよりも小さい範囲に決定することが可能になる。そこでＰＤＥ１０７は、移動局１０１内のポジションロケーションエンジン３０５が、どの衛星が視野内なのかをより容易に決定できるように、及び、それらの衛星をはるかに速く捕捉ように支援する補助情報を最も効率的に提供することができる。
【００２４】
ＭＴ  ＳＭＳメッセージ４０９は、ＭＰＣからＭＣ４０２へ送信される。ＭＣ４０２は次に、メッセージが、ポジションロケーション動作を実行するために移動局１０１をトリガすることを意図されたものであると判断する。従って、ＭＣ４０２は、メッセージ４１１を移動局１０１内のＳＭＳメッセージングプロトコル層３０７用にフォーマットする。ＭＣ４０２からＳＭＳメッセージングプロトコル層３０７へのメッセージ４１１は、テレサービス識別子フィールド中に所定の値を含む。開示された方法及び装置の一実施形態では、ＳＭＳメッセージングプロトコル層３０７が、到来するＭＴ  ＳＭＳメッセージを、アプリケーションクライアント機能３０３及び最終的にはポジションロケーションエンジン３０５を対象としたメッセージとして解釈すべきことを表す所定の値として６５００１の値が選択される。テレサービス識別子フィールドに所定の値を含むメッセージ４１１を受信すると、ＳＭＳメッセージングプロトコル層３０７は、ＳＭＳメッセージ４１１のペイロードに含まれている情報を、ＳＭＳメッセージングプロトコル層３０７からアプリケーションクライアント機能３０３へのメッセージ４１３の中でアプリケーションクライアント機能３０３に渡す。
【００２５】
アプリケーションクライアント機能３０３は次に、メッセージ４１５をポジションロケーションエンジン３０５に送信する。アプリケーションクライアント機能３０３は、ＴＩＡ／ＥＩＡにより発行されているＩＳ−８０１に従って、ポジションロケーションに関連する情報のＰＤＥ１０７への送信、及びＰＤＥ１０７からの受信を開始するようにポジションロケーションエンジン３０５に命令するために、メッセージ４１５をポジションロケーションエンジン３０５用に定式化する。この「ＩＳ−８０１セッション」４１７の結果は、移動局１０１の位置の決定である。ＰＤＥ１０７は次に、移動局１０１の位置をメッセージ４１９でＭＰＣ１０５に送信する。ＭＰＣ１０５は、メッセージ４２１において今度は移動局１０１の位置をＬＢＳクライアント４０３に送信する。
【００２６】
ＭＣ４０２は、ＳＭＳメッセージのテレサービス識別子フィールド中のビットを変更することをネットワーク内で唯一可能とされているので、ルージュ（ｒｏｕｇｅ）移動局といった認証されていないエンティティが、認証されていないトリガを移動局１０１に与えて、移動局１０１のロケーションが適切な認証なしに決定される可能性が無い。
【００２７】
上記方法及び装置の説明は、いかなる当業者も本明細書に添付された特許請求の範囲によって定義される発明を構成又は使用することを可能にすべく提供されている。これらの方法及び装置に対する多様な変形は、当業者には容易にはっきりと理解できるであろう。しかし、本明細書に定義される一般的な原理は、特許請求の範囲に記載された発明の精神又は範囲から逸脱することなく、方法及び装置の他の実施形態に適用し得る。従って、特許請求の範囲に記載された発明は、本明細書に示される方法や装置の実施形態に限定されることを意図されたものではなく、むしろ本明細書に開示された原理及び新規な特徴に合致する最も広範な範囲と一致すべきものである。
【図面の簡単な説明】
【００２８】
【図１】開示された方法及び装置による、移動局、無線通信ネットワーク、モバイルポジショニングセンタ（ＭＰＣ）、及び位置決定装置（ＰＤＥ）を含むシステムを説明する簡易化したブロック図である。
【図２】開示された方法及び装置による、移動局１０１の構成要素の簡易化したブロック図である。
【図３】開示された方法及び装置の一実施形態の中で使用されるプロトコルスタック３００の例の概略図である。
【図４】開示された方法及び装置を実施するシステムの多様なコンポーネント間で渡されるメッセージのシーケンスを示す概略図である。
【図１】
0004490414.tif 000002
【図２】
0004490414.tif 000003
【図３】
0004490414.tif 000004
【図４】
0004490414.tif 000005
【図５】
0004490414.tif 000006
【図６】
0004490414.tif 000007